(57)【要約】【課題】  身体的ハンディキャップを有する人であっても室内側押し口によって容易に施開錠操作ができ、該施開錠操作が繰り返し行われても耐久性を有し、かつ、ドアの厚み方向にコンパクトな構造を備えた施開錠装置を提供する。【解決手段】  室内側に配置されるとともに、室内外方向に移動可能に構成された操作部材１０、２０と、操作部材に与えられる室内外方向の直線運動を室内外方向に直交する方向の直線運動に変換する第一の変換機構１３、１５；５２、５３と、第一の変換機構により変換された直線運動を、不動の軸心の周りを回る軸６０の回転運動に変換する第二の変換機構４４、５４；６２とを設ける。【選択図】      図３
2006177031.tif 000002
【特許請求の範囲】
【請求項１】
室内側に配置されるとともに、室内外方向に移動可能に構成された操作部材と、
前記操作部材に与えられる室内外方向の直線運動を前記室内外方向に直交する方向の直線運動に変換する第一の変換機構と、
前記第一の変換機構により変換された直線運動を、不動の軸心の周りを回る軸の回転運動に変換する第二の変換機構と、を備えることを特徴とする、施開錠装置。
【請求項２】
前記第一の変換機構は、前記操作部材に備えられた室内外方向への斜行面を有する押圧部と、
室内外方向の動作が規制されて、前記室内外方向に直交する一方向にのみ移動可能に構成された駆動部材に備えられるとともに、前記斜行面に対応する斜行面を有する受圧部と、を備えることを特徴とする、請求項１に記載の施開錠装置。
【請求項３】
前記第二の変換機構は、前記駆動部材に形成されたラックギアと、前記軸に形成されたピニオンギアであることを特徴とする請求項２に記載の施開錠装置。
【請求項４】
前記駆動部材は、前記軸心を挟んで両側に配置されていることを特徴とする請求項２又は３に記載の施開錠装置。
【請求項５】
請求項１〜４のいずれか１項に記載の施開錠装置を備えた開口部装置。
【発明の詳細な説明】
【技術分野】
【０００１】
本発明は、施開錠装置、及びその施開錠装置を備えた開口部装置に関し、特に身体的ハンディキャップを有する人が室内側から容易に操作することが可能な、施開錠装置に関する。
【背景技術】
【０００２】
通常、住宅の玄関ドアなどには、居住者が室内側からキー操作を要せず容易に施開錠操作を行うためのサムターンが設けられている。このサムターンはその語源が意味するように、操作つまみを指でつまんで回動させ、施錠開錠を行うものである。かかる指による操作は、身体的なハンディキャップを有する人にとっては困難である場合があり、より容易な操作により施錠開錠を行いえる施錠装置が求められている。
【０００３】
特許文献１には、操作部材たる押し口を押圧すると、てこの原理により駆動体が回転し、かかる駆動体の回転を歯車によりダルマ軸に伝え、このダルマ軸の回転によりデッドボルトをストライクボックス中から脱出させて開錠を行う「本施錠のワンタッチ式非常開装置」が開示されている。
【０００４】
また、特許文献２には、操作部材としての押し口先端にラックギアを形成し、この押し口を押し込むことによりピニオンギアを回転させ、さらにこのピニオンギアの回転をデッドボルトの一端側に形成されたラックギアに伝えて、該デッドボルトをストライクボックス中に突没させる構造を有する「ギアを使ったプッシュ錠」が開示されている。
【特許文献１】特開２００１−１１５７１３号公報
【特許文献２】特開２００３−３４３１４１号公報
【発明の開示】
【発明が解決しようとする課題】
【０００５】
しかし特許文献１に開示されている装置は、非常時の開錠のみを考慮しているため、開錠したものを再び施錠するためには、室外側からの鍵の操作を必要とする。また、非常時に開錠することを念頭においているため、各部材の繰り返し使用による耐久性には考慮が払われていないものと思われる。
【０００６】
また、特許文献２に開示されている「ギアを使ったプッシュ錠」は、室外側から操作する施錠装置とは別個独立した施開錠機構であり、二重に施開錠機構を設ける必要があるという問題があった。また、ピニオンギアを挟んで操作押し口と、デッドボルト一端側に直接ラックギアが形成されているため、操作を軽くするためにはドアの厚み方向に大きなストロークを必要とするという問題もあった。
【０００７】
そこで、身体的ハンディキャップを有する人であっても室内側押し口によって容易に施開錠操作ができ、該施開錠操作が繰り返し行われても耐久性を有し、かつ、ドアの厚み方向にコンパクトな構造を備えた施開錠装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、室内側に配置されるとともに、室内外方向に移動可能に構成された操作部材（１０、２０）と、操作部材に与えられる室内外方向の直線運動を室内外方向に直交する方向の直線運動に変換する第一の変換機構（１３、１５；４２ａ、５２ａ：２３、２５；４３ａ、５３ａ）と、第一の変換機構により変換された直線運動を、不動の軸心の周りを回る軸（６０）の回転運動に変換する第二の変換機構（４４、５４；６２）と、を備えることを特徴とする施開錠装置（１００）により前記課題を解決しようとするものである。
【００１０】
請求項２に記載の発明は、請求項１に記載の施開錠装置（１００）において、第一の変換機構（１３、１５；４２ａ、５２ａ：２３、２５；４３ａ、５３ａ）は、操作部材（１０、２０）に備えられた室内外方向への斜行面（１４、１６；２４、２６）を有する押圧部（１３、１５；２３、２５）と、室内外方向の動作が規制されて、室内外方向に直交する一方向にのみ移動可能に構成された駆動部材（４０、５０）に備えられるとともに斜行面（１４、１６；２４、２６）に対応する斜行面（４２、５２；４３、５３）を有する受圧部（４２ａ、５２ａ；４３ａ、５３ａ）と、を備えることを特徴とする。
【００１１】
請求項３に記載の発明は、請求項２に記載の施開錠装置（１００）において、第二の変換機構は、駆動部材に形成されたラックギア（４４、５４）と、軸（６０）に形成されたピニオンギア（６２）であることを特徴とする。
【００１２】
請求項４に記載の発明は、請求項２又は３に記載の施開錠装置（１００）において、駆動部材（４０、５０）は軸心を挟んで両側に配置されていることを特徴とする。
【００１３】
請求項５に記載の発明は、請求項１〜４のいずれか１項に記載の施開錠装置（１００）を備えた開口部装置（２００）により前記課題を解決するものである。
【発明の効果】
【００１４】
請求項１の発明によれば、ドアの厚み方向にコンパクトな構造を備え、かつ、身体的なハンディキャップを有する人であっても容易に操作可能な施開錠装置を提供することができる。
【００１５】
請求項２の発明によれば、繰り返し行われる施開錠操作に対しても耐久性を有する施開錠装置を提供することができる。
【００１６】
請求項３の発明によれば、簡素な構造によって、確実に直線運動を回転運動に変換することができる。
【００１７】
請求項４の発明によれば、安定した動作を可能とする施開錠装置を提供することができる。
【００１８】
請求項５の発明によれば、請求項１〜４に記載の施開錠装置の特徴を備えた開口部装置を提供することができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１は、本発明にかかる開口部装置である玄関ドアを示す正面図である。（Ａ）は室外側視点からの図、（Ｂ）は室内側視点からの図である。以下の説明においては、特に断りなき限り、原則として室内側からの視点を基準に左右の別を定める。図示の玄関ドア２００は、四辺の枠、すなわち上枠２１０左縦枠２２０、下枠２３０、及び右縦枠２４０を備え、さらに上下の枠２１０、２３０に上下両端部が取り付けられた左中枠２５０、右中枠２６０が、左縦枠２２０と右縦枠２４０との間に配置されている。左縦枠２２０と左中枠２５０との間、及び右縦枠２４０と右中枠２６０との間にはそれぞれ袖ガラス２０２、２０３が配置されている。
【００２２】
左中枠２５０と右中枠２６０との間には、ドア２０１が配置されている。ドア２０１は一端側が左中枠２５０に、上下２箇所に設けられた不図示の蝶番により回動可能に取り付けられている。ドア２０１の図１（Ａ）に示される室外側には、向かって左側に取手２０４が取り付けられている。ドア２０１の図１（Ｂ）に示される室内側には、向かって右側に取っ手２０５が取り付けられている。
【００２３】
ドア２０１の取手が取り付けられている側には施開錠装置１００が取り付けられ、室外側にはキー操作により該施開錠装置１００の施開錠を行うための施錠口２０６が設けられている。施開錠装置１００からは、ドア２０１の右中枠２６０側端面から、後述するデッドボルト９０（図２参照）が突没する。右中枠２６０の上記デッドボルト９０に対応する位置には不図示のストライクボックスが設けられている。ストライクボックス中にデッドボルト９０が突没することによって、玄関ドア２００の施開錠が実現される。
【００２４】
図１（Ｂ）に示されるように、ドア２０１の室内側施開錠装置１００の部位に、操作部材たる上部押し口１０、及び下部押し口２０が設けられている。これら上下の押し口１０、２０は通常サムターンとして設けられている室内側から施開錠装置１００の施錠・開錠を行うためのものである。比較的大きな形状に形成された押し口を押し込むだけで、施錠・開錠が可能であるため指でつまんで回すサムターンと比較して、身体的にハンディを持つ人にも容易に操作することが可能である。
【００２５】
図２は、上下の押し口１０、２０と固定箱７０、及び錠箱８０とデッドボルト９０とを示す斜視図である。上下の押し口１０、２０は、固定箱７０を介して錠箱８０に取り付けられている。錠箱８０の端部にはフロントプレート９１が取り付けられている。フロントプレート９１は、その上下２箇所に設けられた孔９２、９３に固定金具が差し入れられて、ドア２０１の側端面に取り付けられる。錠箱８０はドア２０１に内蔵されている。図２（Ａ）は開錠状態を示し、デッドボルト９０は錠箱８０内に没している。図２（Ｂ）は施錠状態を示し、デッドボルト９０がフロントプレート９１の右方向に突出している。この突出部が右中枠２６０に設けられたストライクボックス内に差し入れられて、施錠が行われる。
【００２６】
図３は、本発明にかかる施開錠装置１００を構成する主要部材を室内側の視点から表した分解斜視図である。図３においては紙面右手前方向が室内側、左奥方向が室外側である。図示の施開錠装置１００の主要部材は、室内側から上下の押し口１０、２０、仕切り部材３０、左右の駆動部材４０、５０、駆動部材４０、５０の間に配置される軸６０、固定箱７０、及び錠箱８０により構成されている。
【００２７】
図４は、上部押し口を示す斜視図である。図４では、紙面上部右奥方向が室内側、紙面下部左手前方向が室外側を表している。図示の上部押し口１０は、室内側壁１１ａ、左側壁１１ｂ、天井壁１１ｃ、及び右側壁１１ｄの４面からなる外殻１１を備えている。外殻１１の下面側は開口されている（以下において「下面側開口１９」という。）。室内側壁１１ａの室外側の面から室外方向（手前）に向けて、摺動管１２、及びその両側に押圧部１３、１５が延設されている。押圧部１３は、室外方向に上向きの斜行面１４を備えている。また、押圧部１３の下端面には切欠き部１７が形成されている。一方、押圧部１５は室外方向に下向きの斜行面１６を備えている。また、押圧部１５の上端面には切欠き部１８が形成されている。
【００２８】
図５は、下部押し口を示す斜視図である。図５では、紙面下部右奥方向が室内側、紙面上部左手前方向が室外側を表している。図示の下部押し口２０は、室内側壁２１ａ、左側壁２１ｂ、底板２１ｃ、及び右側壁２１ｄの４面からなる外殻２１を備えている。外殻２１の上面側は開口されている（以下において「上面側開口２９」という。）。室内側壁２１ａの室外側の面から室外方向（手前）に向けて、摺動管２２、及びその両側に押圧部２３、２５が延設されている。押圧部２３は、室外方向に下向きの斜行面２４を備えている。また、押圧部２３の上端面には切欠き部２７が形成されている。一方、押圧部２５は室外方向に上向きの斜行面２６を備えている。また、押圧部２５の下端面には切欠き部２８が形成されている。
【００２９】
図７は、錠箱８０を除き、図３の主要部材を組み立てたものを、一部を切り欠いて示す斜視図である。以下に図３、及び図７を参照しつつ、他の主要部材に関する説明を続ける。
【００３０】
仕切り部材３０は、室内外方向に直交する垂直方向に立設された規制板３１と、規制板３１の中央部から室内方向に水平に延設された上下仕切り板３２を備えている。規制板３１の上下の端部近傍には孔３７ａ、３７ｂが設けられている。これらの孔３７ａ、３７ｂに差し入れられた固定金具１０１、１０２はさらに、後述する固定箱７０の螺入孔７７ａ、７７ｂに差し入れられて螺合され、仕切り部材３０は固定箱７０に取り付けられる。
【００３１】
規制板３１の上下２箇所には、上下の押し口の摺動管１２、２２に対応する部位に孔３５ａ、３５ｂが設けられている。組み立て状態（図７参照）においては、摺動管１２、２２は、規制板３０の孔３５ａ、３５ｂを貫通するように配置されている。孔３５ａの左右両側にはスリット３３ａ、３３ｂが形成されている。また、孔３５ｂの左右両側にはスリット３４ａ、３４ｂが形成されている。スリット３３ａ、３３ｂは、上部押し口１０を室外方向に押し込んだ際に、押圧部１３、１５の通路となる。また、スリット３４ａ、３４ｂは、下部押し口２０を室外方向に押し込んだ際に、押圧部２３、２５の通路となる。
【００３２】
規制板３１の中央部には、円形の孔である軸受け部３６が形成されている。組み立て状態においては、後述する軸６０の室内側端部６４がこの軸受け部３６により、回転自在に支えられる。
【００３３】
フロントプレート９１によりドア２０１に固定されている錠箱８０に固定箱７０が固定され（後述する。）、さらにこの固定箱７０に仕切り部材３０が固定されているので、上下仕切り板３２は、ドア２０１に対して位置が固定されている。しかして、上部押し口１０を押圧するとその下面側開口１９が、下部押し口２０を押圧するとその上面側開口２９が、上下仕切り板３２により塞がれるので、開口部１９、２９で指を挟むような事故が未然に防止される。また、開口部１９、２９から異物が押し口１０、２０の内部に侵入することも防止され、装置の耐久性も向上する。さらに、開口内部を隠蔽するので、意匠的な効果もある。
【００３４】
軸６０は、室外側から室内側に向けて、共通の軸芯上に、ダルマ部６３、主軸部６１、ピニオンギア部６２、室内側端部６４がこの順に配置されている。ダルマ部６３は、錠箱８０の孔８１から錠箱８０の内部に差し入れられて回転することにより、デッドボルト９０を突没させる。軸６０のピニオンギア部６２の両側には、右駆動部材４０と、左駆動部材５０とが配置されている。
【００３５】
図６は、左右の駆動部材を示す図である。（Ａ）は左駆動部材５０を室内側右上方の視点から示す斜視図であり、（Ｂ）は右駆動部材４０を室内側左上方の視点から示す斜視図である。左駆動部材５０は、室内外方向に設けられた４面の板、すなわち天板５０１、右側板５０２、底板５０３、及び左側板５０４からなる枠体５００を備えている。枠体５００の内部には上下にスリット５１ａ、５１ｂが形成されている。スリット５１ａ、５１ｂの室内側中央部から室外方向に、斜行面５２、５３が形成されている。斜行面５２は室外方向に向かって上向き上り斜面を形成している。一方、斜行面５３は室外方向に向かって下向き下り斜面を形成している。枠体５００の室外側上下の端部近傍にはそれぞれノッチ５５、５６が形成されている（図６（Ａ）においては、ノッチ５５は、天板５０１の背後にあるため図面には現れていない。）。右側板５０２の中央部には、ラックギア面５４が形成されている（図６（Ａ）において、鎖線で囲まれた範囲である。）。ラックギア面５４は、軸６０のピニオンギア部６２と噛み合うように形成されている。
【００３６】
右駆動部材４０は、室内外方向に設けられた４面の板、すなわち天板４０１、右側板４０２、底板４０３、及び左側板４０４からなる枠体４００を備えている。枠体４００の内部にはスリット４１が形成されている。スリット４１の室内側上下の端部から室外方向に、斜行面４２、４３が形成されている。斜行面４２は室外方向に向かって下向き下り斜面を形成している。一方、斜行面４３は室外方向に向かって上向き上り斜面を形成している。枠体５００の室外側中央部にはそれぞれノッチ４５、４６が一体に形成されている。左側板４０４の中央部には、ラックギア面４４が形成されている（図６（Ｂ）において、鎖線で囲まれた範囲である。）。ラックギア面４４は、軸６０のピニオンギア部６２と噛み合うように形成されている。
【００３７】
再び図３に戻り説明を続ける。固定箱７０は、室内外方向に設けられた４面の板、すなわち天板７０ａ、右側板７０ｂ、底板７０ｃ、及び左側板７０ｄからなる枠体７００を備えている。枠体７００の室内外方向の中央付近には室内外方向と直交する方向の垂直面を有する規制板７０ｅが設けられている。規制板７０ｅの高さ方向中央には、横一列に孔７５ａ、主軸孔７５ｂ、及び孔７５ｃが設けられている（図３においては孔７５ａ、主軸孔７５ｂは左側板７０ｄに隠れて現れていない。）。孔７５ａ、７５ｃには固定箱取り付けネジ１０３、１０４が差し入れられ、さらに錠箱８０の孔８２、８３に室外側シリンダとはさみ込まれて、固定箱７０が錠箱８０に固定される。主軸孔７５ｂは主軸６１が貫通すべき孔であり、ダルマ部６３は、主軸孔７５ｂを貫通して錠箱８０の主軸孔８１に差し入れられる。組み立て状態においては、主軸６１は、主軸孔７５ｂに回転自在に支えられている。
【００３８】
枠体７００の内部には、天板７０ａの下面側に上部内箱７１が、底板７０ｃの上面側には下部内箱７２が設けられている。上部内箱７１、下部内箱７２と右側板７０ｂとの間には、隙間７３ａ、７３ｂが設けられている。一方、上部内箱７１、下部内箱７２と左側板７０ｄとの間には、隙間７４ａ、７４ｂが設けられている。隙間７３ａ、７３ｂの幅は、右駆動部材４０の厚さよりわずかに大きく設けられている。組み立て状態においては、右駆動部材４０が隙間７３ａ、７３ｂ内に、左駆動部材５０が隙間７４ａ、７４ｂ内に配置される。そして、固定箱７０の規制板７０ｅと、仕切り部材３０の規制板３１との間隔は、左右の駆動部材４０、５０の室内外方向長さと略等しく設定されている。しかして、右駆動部材４０は隙間７３ａ、７３ｂ内において、左駆動部材５０は隙間７４ａ、７４ｂ内において、上下の垂直方向にのみ移動可能である。
【００３９】
上部内箱７１のさらに内部には、上部に螺入孔７７ａが、下部には案内外筒７６ａがそれぞれ室内外方向に設けられている。一方、下部内箱７２の内部には、下部に螺入孔７７ｂが、上部には案内外筒７６ｂがそれぞれ室内外方向に設けられている。前記したとおり、仕切り板固定ネジ１０１、１０２を羅入孔７７ａ、７７ｂに差し入れて螺合することにより、仕切り部材３０が固定箱７０に取り付けられる。
【００４０】
案内外筒７６ａ、７６ｂの内径は、押し口１０、２０の摺動管１２、２２の外径よりわずかに大きく形成されている。押し口１０、２０を室外方向に押し込むと、摺動管１２、２２はそれぞれ案内外筒７６ａ、７６ｂ内を摺動して室外方向に移動される。しかも押し口１０、２０の外殻１１、２１の内面側形状は、固定部材７０の上部及び下部の外面側形状よりそれぞれわずかに大きく設けられており、押し口１０、２０は、その姿勢を保ちつつ、室外方向に押し込むことができる。
【００４１】
なお、上部押し口１０の左側壁１１ｂ、天井壁１１ｃ、及び右側壁１１ｄ、並びに下部押し口２０の左側壁２１ｂ、天井壁２１ｃ、及び右側壁２１ｄには、各外殻１１、２１の内面側に、室内外方向に溝が形成されている。溝は各壁の室外側開口までは達しておらず、その少し手前までの長さに形成されている。なお、図３では、これらの溝のうち符号１１ｅ、１１ｆ、２１ｆで指し示すもののみ表されている。
【００４２】
一方、固定箱７０の室内側開口の外周には、上記各溝に対応する位置に６つの突起が設けられている。図３にはこれらの突起のうち符号７８ａ、７８ｂ、７８ｃで指し示すもののみが表されている。そして各部材が組み立てられた状態においては、固定箱７０に形成されている各突起は、各押し口１０、１１に形成されている溝にはまり込んでいる。
【００４３】
かかる構成では、各溝は室外側開口の手前までで、その長さが止められているので、押し口１０、１１が固定部材７０から脱落する事がない。
【００４４】
図８は、上下の押し口１０、２０及び固定箱７０を示す３面図である。図９は、図８のＡ−Ａ線に沿った断面図である。また、図１０は、図８のＢ−Ｂ線に沿った断面図である。以下にこれら図８〜１０を参照しつつ、施開錠装置１００の動作について説明する。
【００４５】
図９において、下部押し口２０を室外方向（図面右方向）に押し込むと、押圧部２３の斜行面２４は、右駆動部材４０の斜行面４３に当接される。そして、受圧部４３ａが室外方向への押圧力を受けて、右駆動部材４０は、固定箱７０内を下方に移動される。右駆動部材４０が下方に移動されることにより、右駆動部材４０の左側板４０４に形成されたラック４４が噛み合っているピニオンギア部６２を有する軸６０を室内側から見て、時計回り方向に回転させる。かかる回転が、組み立て状態において錠箱８０内に配置されているダルマ部６３に伝えられ、デッドボルト９０が動作される。
【００４６】
さらに下部押し口２０を室外方向に押し続けると、下降してきた右駆動部材４０のノッチ４６が、押圧部２３の上面に形成された切欠き部２７に嵌まり込み、それ以上の下部押し口２０の室外方向への移動が規制される。この状態においては、それまで離隔されていた、上部押し口１０の押圧板１３の斜行面１４と、右駆動部材４０の斜行面４２とが当接された状態になる。従ってこの状態からは、上部押し口１０を室外方向に押し込むことにより押圧板１３の斜行面１４が、右駆動部材４０の斜行面４２を押圧して、右駆動部材４０を上方に移動させ始める。
【００４７】
一方、右駆動部材４０が上方に移動されることにより、ラックギア部４４を介して、ピニオンギア部６２は、反時計回り方向に回転される。それにより、左駆動部材５０は下方に移動される。左駆動部材５０が下方に移動されると、その斜行面５３が、下部押し口２０の押圧部２５の斜行面２６を下向きに押圧するため、摺動管２２と案内外筒７６ｂとの協働により室内外方向にのみ移動可能とされている下部押し口２０は、室内側に押し戻される。同時に、右駆動部材の方は、上方に移動されるため、その斜行面が下部押し口２０の押圧部２３の斜行面を上向きに押圧する。このように、押圧部を二つで構成する事で、より確実にエネルギーを伝えて操作出来るようにしている。
【００４８】
一方、左駆動部材５０の動作は次のように行われる。図１０において、下部押し口２０を室外方向（図面右方向）に押し込むと、押圧部２５の斜行面２６は、左駆動部材５０の斜行面５３に当接される。そして、受圧部５３ａが室外方向への押圧力を受けて、左駆動部材５０は、固定箱７０内を上方に移動される。左駆動部材５０が上方に移動されることにより、左駆動部材５０の右側板５０２に形成されたラック５４が噛み合っているピニオンギア部６２を有する軸６０を室内側から見て、時計回り方向に回転させる。かかる回転が組み立て状態において錠箱８０内に配置されているダルマ部６３に伝えられ、デッドボルト９０が錠箱８０内に戻されて、施開錠装置１００の開錠が行われる。
【００４９】
さらに下部押し口２０を室外方向に押し続けると、上昇してきた左駆動部材５０のノッチ５６が、押圧部２５の下面に形成された切欠き部２８に嵌まり込み、それ以上の下部押し口２０の室外方向への移動が規制される。この状態においては、それまで離隔されていた、部押し口１０の押圧板１５の斜行面１６と、左駆動部材５０の斜行面５２とが当接された状態になる。従ってこの状態からは、上部押し口１０を室外方向に押し込むことにより押圧板１５の斜行面１６が、左駆動部材５０の斜行面５２を押圧して、左駆動部材５０を下方に移動させ始める。
【００５０】
一方、左駆動部材５０が下方に移動されることにより、ラックギア部５４を介して、ピニオンギア部６２は、反時計回り方向に回転される。それにより、右駆動部材４０は上方に移動される。右駆動部材４０が上方に移動されると、その斜行面４３が、下部押し口２０の押圧部２３の斜行面２４を上向きに押圧するため、室内外方向にのみ移動可能とされている下部押し口２０は、室内側に押し戻される。同時に、右駆動部材の方は、上方に移動されるため、その斜行面が下部押し口２０の押圧部２３の斜行面を上向きに押圧する。このように、押圧部を二つで構成する事で、より確実にエネルギーを伝えて操作出来るようにしている。
【００５１】
以上に説明した左右の駆動部材４０、５０の上下方向への動作は軸６０の回転と調和するように各ギア、斜行面の角度等が設定されていて、一連の動作が円滑に行われる。
【００５２】
また、上部押し口１０を室外方向に押し込んだ場合には、斜行面１４、１６がそれぞれ駆動部材の斜行面４２、５２に当接されて、右駆動部材４０が押し上げられる一方、左駆動部材５０が押し下げられて、軸６０は室内側から見て、反時計回りの方向に回転され、デッドボルト９０の動作も下部押し口２０を押し込んだ場合と反対のものとなり、施開錠装置１００の施錠が行われる。
【００５３】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う施開錠装置、及びその施開錠装置を備えた開口部装置もまた本発明の技術的範囲に包含されるものとして理解されなければならない。
【図面の簡単な説明】
【００５４】
【図１】本発明にかかる開口部装置である、玄関ドアを示す正面図である。（Ａ）は室外側視点からの図、（Ｂ）は室内側視点からの図である。
【図２】操作用押し口及び錠箱とデッドボルトとを示す斜視図である。（Ａ）は開錠状態、（Ｂ）は施錠状態を示している。
【図３】本発明にかかる施開錠装置を構成する主要部材を室内側の視点から表した分解斜視図である。
【図４】上部押し口を示す斜視図である。
【図５】下部押し口を示す斜視図である。
【図６】左右の駆動部材を示す斜視図である。
【図７】主要部材を組み立て、一部を切り欠いて示す斜視図である
【図８】押し口、固定箱を示す３面図である。
【図９】図８のＡ−Ａ線に沿った断面図である。
【図１０】図８のＢ−Ｂ線に沿った断面図である。
【符号の説明】
【００５５】
１０  （上部）押し口（操作部材）
１１  外殻
１１ａ  室内側壁
１１ｂ  左側壁
１１ｃ  天井壁
１１ｄ  右側壁
１１ｅ、１１ｆ  溝
１２  摺動管
１３、１５  押圧部  
１４、１６  斜行面
１７、１８  切欠き部
１９  下面側開口
２０  （下部）押し口（操作部材）
２１  外殻
２１ａ  室内側壁
２１ｂ  左側壁
２１ｃ  底板
２１ｄ  右側壁
２１ｆ  溝
２２  摺動管
２３、２５  押圧部  
２４、２６  斜行面
２７、２８  切欠き部
２９  上面側開口
３０  仕切り部材
３１  規制板
３２  上下仕切り板
３３ａ、３３ｂ  スリット
３４ａ、３４ｂ  スリット
３５ａ、３５ｂ  孔
３６  軸受け部
３７ａ、３７ｂ  孔
４０  右駆動部材（駆動部材）
４１  スリット
４２、４３  斜行面
４２ａ、４３ａ  受圧部
４４  ラックギア面
４５、４６  ノッチ
５０  左駆動部材（駆動部材）
５１ａ、５１ｂ  スリット
５２、５３  斜行面
５２ａ、５３ａ  受圧部
５４  ラックギア面
５５、５６  ノッチ
６０  軸
６１  主軸部
６２  ピニオンギア部
６３  ダルマ部
６４  室内側端部
７０  固定箱
７０ａ  天板
７０ｂ  右側板
７０ｃ  底板
７０ｄ  左側板
７０ｅ  規制板
７１  上部内箱
７２  下部内箱
７３ａ、７３ｂ  隙間
７４ａ、７４ｂ  隙間
７５ａ、７５ｃ  孔
７５ｂ  主軸孔
７６ａ、７６ｂ  案内外筒
７７ａ、７７ｂ  螺入孔
７８ａ、７８ｂ、７８ｃ  突起
８０  錠箱
８１  主軸孔
８２、８３  孔
９０  デッドボルト
９１  フロントプレート
９２、９３  孔    
１００  施開錠装置
１０１、１０２  仕切り板固定ネジ
１０３、１０４  固定箱取り付けネジ
２００  玄関ドア（開口部装置)
２０１  ドア
２０２  左袖ガラス
２０３  右袖ガラス
２０４、２０５  取手
２０６  施錠口
２１０  上枠
２２０  左縦枠
２３０  下枠
２４０  右縦枠
２５０  左中枠
２６０  右中枠
４００  枠体
４０１  天板
４０２  右側板
４０３  底板
４０４  左側板
５００  枠体
５０１  天板
５０２  右側板
５０３  底板
５０４  左側板
７００  枠体
【図１】
2006177031.tif 000003
【図２】
2006177031.tif 000004
【図３】
2006177031.tif 000005
【図４】
2006177031.tif 000006
【図５】
2006177031.tif 000007
【図６】
2006177031.tif 000008
【図７】
2006177031.tif 000009
【図８】
2006177031.tif 000010
【図９】
2006177031.tif 000011
【図１０】
2006177031.tif 000012